(57)【要約】【課題】輸送時高さを法令で定められている高さ制限値以下にして重車両を輸送する簡易かつ汎用性の高い重車両の輸送方法を提供する。【解決手段】輸送専用タイヤ４が装着されたホイールローダ１を自走によりトレーラ２に積載し、ホイールローダ１の前後の各アクスルの両側部位に対応するように所要の枕木６をトレーラ２上に設置し、次いで、ホイールローダ１に装着されている輸送専用タイヤ４の空気を抜いて輸送時高さ（積載時全高）Ｈを法令で定められている高さ制限値以下に低下させ、その後、トレーラ連結車によりホイールローダ１を目的地まで輸送する。【選択図】図２
2006290541.tif 000002
【特許請求の範囲】
【請求項１】
重車両を輸送車両に積載して輸送する重車両の輸送方法であって、
（ａ）前記重車両を自走により前記輸送車両に積載する工程、
（ｂ）前記重車両のタイヤの空気を抜いたときにそのタイヤに代わって前記重車両の車重を支えるための支持具を、前記重車両の所定の部位に対応するように前記輸送車両上に設置する工程および
（ｃ）前記重車両のタイヤの空気を抜いて前記重車両の車高を低下させるとともに、前記支持具に前記重車両の車重を支持させる工程
を含むことを特徴とする重車両の輸送方法。
【請求項２】
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程および
（ｃ）前記輸送専用タイヤの空気を抜いて前記重車両の車高を低下させる工程
を含むことを特徴とする重車両の輸送方法。 
【請求項３】
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程、
（ｃ）前記輸送専用タイヤの空気を抜いたときにその輸送専用タイヤに代わって前記重車両の車重を支えるための支持具を、前記重車両の所定の部位に対応するように前記輸送車両上に設置する工程および
（ｄ）前記輸送専用タイヤの空気を抜いて前記重車両の車高を低下させるとともに、前記支持具に前記重車両の車重を支持させる工程
を含むことを特徴とする重車両の輸送方法。
【請求項４】
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程、
（ｃ）前記輸送専用タイヤの空気を抜いて前記重車両の車高を低下させる工程、
（ｄ）前記輸送車両により前記重車両を目的地まで輸送する工程、
（ｅ）前記輸送専用タイヤに空気を充填した後に、前記重車両を自走により前記輸送車両から降ろす工程および
（ｆ）前記輸送専用タイヤを正規タイヤに付け替える工程
を含むことを特徴とする重車両の輸送方法。
【請求項５】
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程、
（ｃ）前記輸送専用タイヤの空気を抜いたときにその輸送専用タイヤに代わって前記重車両の車重を支えるための支持具を、前記重車両の所定の部位に対応するように前記輸送車両上に設置する工程、
（ｄ）前記輸送専用タイヤの空気を抜いて前記重車両の車高を低下させるとともに、前記支持具に前記重車両の車重を支持させる工程、
（ｅ）前記輸送車両により前記重車両を目的地まで輸送する工程、
（ｆ）前記輸送専用タイヤに空気を充填し、前記支持具を取り外した後に、前記重車両を自走により前記輸送車両から降ろす工程および
（ｇ）前記輸送専用タイヤを正規タイヤに付け替える工程
を含むことを特徴とする重車両の輸送方法。
【発明の詳細な説明】
【技術分野】
【０００１】
本発明は、例えばホイールローダやホイール式油圧ショベルのような重車両をトレーラ連結車等の輸送車両に積載して輸送する重車両の輸送方法に関するものである。
【背景技術】
【０００２】
従来、例えばホイールローダをトレーラに積載して輸送する場合に、ホイールローダに装着される正規タイヤに替えて小径車輪を装着することにより、輸送時高さ（積載時全高）が車両制限令（道路法）、道路交通法、道路運送車両法等で定められている高さ制限値（３．８ｍ以下）を超えないようにして、特殊車両通行許可制度を利用しなくてもホイールローダをトレーラ連結車により輸送することのできる輸送方法が実用に供されている。この輸送方法において、小径車輪が装着されたホイールローダは自走によりトレーラの段差を乗り越えることができないために、トレーラに対するホイールローダの積み降ろし作業は起重機を用いて行われる。
【０００３】
なお、関連先行技術として、例えば特許文献１にて提案されているものがある。この特許文献１には、選択的に作動可能な圧力リリーフ弁を用いることにより、車両のタイヤの圧力を所定値に選択的に減少させてタイヤの牽引力を向上させたり、車両の全体高さを低下させたりする旨の記載がなされている。
【０００４】
【特許文献１】特開平６−７２１１３号公報
【発明の開示】
【発明が解決しようとする課題】
【０００５】
しかしながら、前記従来の輸送方法では、起重機を用いたホイールローダの積み降ろし作業が大掛かりで面倒であり、また出発地および目的地にそれぞれ起重機設備が整っていなければ当該輸送方法が成立しないため、汎用性が低いという問題点がある。
【０００６】
一方、前記特許文献１には、選択的に作動可能な圧力リリーフ弁により車両の全体高さを低下させる旨の記載は成されているが、輸送時高さ（積載時全高）を法令で定められている高さ制限値以下にして重車両を輸送する方法に適用する旨を示唆する記載はない。
【０００７】
本発明は、このような問題点に鑑みてなされたもので、輸送時高さを法令で定められている高さ制限値以下にして重車両を輸送する簡易かつ汎用性の高い重車両の輸送方法を提供することを目的とするものである。
【課題を解決するための手段】
【０００８】
前記目的を達成するために、第１発明による重車両の輸送方法は、
重車両を輸送車両に積載して輸送する重車両の輸送方法であって、
（ａ）前記重車両を自走により前記輸送車両に積載する工程、
（ｂ）前記重車両のタイヤの空気を抜いたときにそのタイヤに代わって前記重車両の車重を支えるための支持具を、前記重車両の所定の部位に対応するように前記輸送車両上に設置する工程および
（ｃ）前記重車両のタイヤの空気を抜いて前記重車両の車高を低下させるとともに、前記支持具に前記重車両の車重を支持させる工程
を含むことを特徴とするものである。
【０００９】
また、第２発明による重車両の輸送方法は、
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程および
（ｃ）前記輸送専用タイヤの空気を抜いて前記重車両の車高を低下させる工程
を含むことを特徴とするものである。
【００１０】
また、第３発明による重車両の輸送方法は、
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程、
（ｃ）前記輸送専用タイヤの空気を抜いたときにその輸送専用タイヤに代わって前記重車両の車重を支えるための支持具を、前記重車両の所定の部位に対応するように前記輸送車両上に設置する工程および
（ｄ）前記輸送専用タイヤの空気を抜いて前記重車両の車高を低下させるとともに、前記支持具に前記重車両の車重を支持させる工程
を含むことを特徴とするものである。
【００１１】
また、第４発明による重車両の輸送方法は、
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程、
（ｃ）前記輸送専用タイヤの空気を抜いて前記重車両の車高を低下させる工程、
（ｄ）前記輸送車両により前記重車両を目的地まで輸送する工程、
（ｅ）前記輸送専用タイヤに空気を充填した後に、前記重車両を自走により前記輸送車両から降ろす工程および
（ｆ）前記輸送専用タイヤを正規タイヤに付け替える工程
を含むことを特徴とするものである。
【００１２】
また、第５発明による重車両の輸送方法は、
重車両を輸送車両に積載して輸送する重車両の輸送方法であって、
（ａ）前記重車両に輸送専用タイヤを装着する工程、
（ｂ）前記輸送専用タイヤが装着された前記重車両を自走により前記輸送車両に積載する工程、
（ｃ）前記輸送専用タイヤの空気を抜いたときにその輸送専用タイヤに代わって前記重車両の車重を支えるための支持具を、前記重車両の所定の部位に対応するように前記輸送車両上に設置する工程、
（ｄ）前記輸送専用タイヤの空気を抜いて前記重車両の車高を低下させるとともに、前記支持具に前記重車両の車重を支持させる工程、
（ｅ）前記輸送車両により前記重車両を目的地まで輸送する工程、
（ｆ）前記輸送専用タイヤに空気を充填し、前記支持具を取り外した後に、前記重車両を自走により前記輸送車両から降ろす工程および
（ｇ）前記輸送専用タイヤを正規タイヤに付け替える工程
を含むことを特徴とするものである。
【発明の効果】
【００１３】
本発明においては、重車両を自走にて輸送車両に積載して後にその重車両に装着されているタイヤの空気を抜いてその重車両の車高を低下させることにより、輸送時高さ（積載時全高）を車両制限令（道路法）、道路交通法、道路運送車両法等で定められている高さ制限値（３．８ｍ以下）を超えないようにされる。本発明によれば、特殊車両通行許可制度を利用しなくても重車両を輸送車両により輸送することができる。また、従来の輸送方法では必要されていた起重機を用いた作業が不要になるため、簡易に実施可能で汎用性が高いという利点がある。
【発明を実施するための最良の形態】
【００１４】
次に、本発明による重車両の輸送方法の具体的な実施の形態について、図面を参照しつつ説明する。なお、本実施形態は、重車両としてホイールローダに本発明が適用された例である。
【００１５】
図１乃至図３には、本発明の一実施形態に係る重車両の輸送方法を説明する図が示されている。
【００１６】
本実施形態の輸送方法は、ホイールローダ１を、図示省略されるトラクタと重量物運搬用セミトレーラ２（以下、単に「トレーラ２」という。）とが連結されてなるトレーラ連結車（本発明の「輸送車両」に相当する。）に積載して輸送する方法であって、以下に述べる第１工程〜第７工程を含むものである。
【００１７】
まず、出発地において、図１（ａ）に示されるように、ホイールローダ１に装着される正規タイヤ３に替えて輸送専用タイヤ４を装着する（第１工程）。次いで、同図（ｂ）（ｃ）に示されるように、トレーラ２に対するホイールローダ１の乗り降りを補助する傾斜台５をトレーラ２の後端の近傍位置に設置して、輸送専用タイヤ４が装着されたホイールローダ１を自走によりトレーラ２に積載する（第２工程）。ここで、前記正規タイヤ３は、作業条件に適合するように選定された建設車両用のニューマチックタイヤである。また、前記輸送専用タイヤ４は、輸送時に専ら使用されるニューマチックタイヤであって、空気が充填されたときのタイヤ容積と空気が抜かれたときのタイヤ容積との差が比較的大きく設定されてなるものである。なお、輸送専用タイヤ４のタイヤ径は正規タイヤ３のタイヤ径と略同じに設定されており、輸送専用タイヤ４が装着されたホイールローダ１はトレーラ２の段差を容易に乗り越えることができる。
【００１８】
次いで、図２（ａ）に示されるように、前記輸送専用タイヤ４の空気を抜いたときにその輸送専用タイヤ４に代わってホイールローダ１の車重を支えるための支持具として例えば枕木６を、ホイールローダ１の前後の各アクスルの両側部位に対応するように合計４つトレーラ２上に設置する（第３工程）。その後、同図（ｂ）に示されるように、輸送専用タイヤ４の空気を抜いてホイールローダ１の車高を低下させるとともに、前記枕木６にホイールローダ１の車重を支持させる（第４工程）。こうして、輸送時高さ（積載時全高）Ｈが車両制限令（道路法）、道路交通法、道路運送車両法等で定められている高さ制限値（３．８ｍ以下）以下にされる。なお、ホイールローダ１は、目的地への輸送に臨んでトレーラ２に図示されないワイヤロープやチェーンによって固定される。
【００１９】
前記第４工程により輸送時高さＨを法令で定められている高さ制限値以下にして後に、トレーラ連結車によりホイールローダ１を目的地まで輸送する（第５工程）。当該目的地において、図３（ａ）に示されるように、輸送専用タイヤ４に空気を充填し、枕木６を取り外した後に、同図（ｂ）に示されるように、傾斜台５を利用して、ホイールローダ１を自走によりトレーラ２から降ろす（第６工程）。その後、同図（ｃ）に示されるように、ホイールローダ１に装着される輸送専用タイヤ４に替えて正規タイヤ３を装着する（第７工程）。
【００２０】
以上に述べたように、本実施形態においては、ホイールローダ１を自走にてトレーラ連結車に積載して後にそのホイールローダ１に装着されている輸送専用タイヤ４の空気を抜いてそのホイールローダ１の車高を低下させることにより、輸送時高さ（積載時全高）Ｈを車両制限令（道路法）、道路交通法、道路運送車両法等で定められている高さ制限値（３．８ｍ以下）を超えないようにされる。本実施形態によれば、特殊車両通行許可制度を利用しなくてもホイールローダ１をトレーラ連結車により輸送することができる。また、従来の輸送方法では必要されていた起重機を用いた作業が不要になるため、簡易に実施可能で汎用性が高いという利点がある。
【００２１】
なお、本実施形態では、図１（ａ）に示される第１工程においてホイールローダ１に装着される正規タイヤ３に替えて輸送専用タイヤ４を装着するようにされているが、正規タイヤ３の空気を抜いた状態での積載時全高が法令で定められている高さ制限値以下になるようであれば、正規タイヤ３を装着したままで第２工程〜第６工程を実施するようにしてもよい。また、輸送専用タイヤ４が、空気が抜かれた状態でもホイールローダ１の車重を安定的に支持し得る構造を備えるものである場合、枕木６を用いない態様もあり得る。
【図面の簡単な説明】
【００２２】
【図１】本発明の一実施形態に係る重車両の輸送方法を説明する図（１）
【図２】本発明の一実施形態に係る重車両の輸送方法を説明する図（２）
【図３】本発明の一実施形態に係る重車両の輸送方法を説明する図（３）
【符号の説明】
【００２３】
１    ホイールローダ
２    トレーラ
３    正規タイヤ
４    輸送専用タイヤ
５    傾斜台
６    枕木
【図１】
2006290541.tif 000003
【図２】
2006290541.tif 000004
【図３】
2006290541.tif 000005